(57)【特許請求の範囲】
【請求項１】
立ち入り禁止、進入禁止、駐車禁止等の工事用保安器具として用いられるカラーコーン（登録商標）に於いて、二つ折りにした角錐本体（１）の縦方向に複数の折曲線（２）と、二つ折りの座板（５）に角錐本体（１）が嵌入できる同形の抜き孔（６）を穿孔し、該座板（５）の抜き孔（６）の辺（７）に沿って前記角錐本体（１）を嵌合して組み立てられるように構成したこと、前記二つ折りした角錐本体（１）は任意の一対の対向する折曲線（２）のみ同方向に折り曲げて略平面形状となすように二つ折りしたものであり、この折曲線（２）は山折り及び谷折りの折曲線でなく、面体（３）の接続箇所は溝を設けで同方向にそれぞれが折れ曲がるように折曲線（２）とし一体化されていること、及び、角錐本体（１）の下端縁周囲に突出部（４）を設けて、座板（５）に角錐本体（１）を嵌合できるようにしたことを特徴とする角錐の折り畳み式カラーコーン（登録商標）（Ａ）。
【請求項２】
立ち入り禁止、進入禁止、駐車禁止等の工事用保安器具として用いられるカラーコーン（登録商標）に於いて、二つ折りにした円錐本体（１０）の縦方向に２本の折曲線（１１）と、二つ折りの座板（１４）に円錐本体（１０）が嵌入できる同形の抜き孔（１６）を穿孔し、該座板（１４）の抜き孔（１６）の縁（１７）に沿って前記円錐本体（１０）を嵌合して組み立てられるように構成したこと、前記二つ折りした円錐本体（１０）は同方向に折り曲げて略平面形状となすように二つ折りしたものであり、この折曲線（１１）は山折り及び谷折りの折曲線でなく、面体（１２）の接続箇所は溝を設けて同方向にそれぞれが折れ曲がるように折曲線（１１）とし一体化されていること、及び、円錐本体（１０）の下端縁周囲に突出部（１３）を設けて、座板（１４）に円錐本体（１０）を嵌合できるようにしたことを特徴とする円錐の折り畳み式カラーコーン（登録商標）（Ｂ）。
【発明の詳細な説明】
【０００１】
【発明の属する技術分野】
本発明は、工事現場等で使用する工事用保安器具であるカラーコーン（登録商標）の改良に関するものである。
【０００２】
【従来の技術】
従来、工事現場等で使用する工事用保安器具である「カラーコーン（登録商標）」と称される座板の上部に円錐形部を突出させた赤い樹脂系成形物がある。このカラーコーン（登録商標）は、大きさの割りには嵩張るが軽量で積み重ねて運搬するなど、取り扱いが誰でも簡単にできるので、道  路工事箇所には無くてはならない存在にまで普及されている。
【０００３】
ところが路面に設置された後、風で吹き飛ばされたり、通行人の足で蹴飛ばされたりすることが頻繁にあるため、正方形の中央に円形の穿孔した孔を有するゴム系の座板を該カラーコーン（登録商標）の上部の円錐頭部より嵌入して、設置するものがあるが寸法的にも大きなものであり、ゴムで成形されているので重量的にも大となりコスト的にも高価なものであった。
【０００４】
又、従来のカラーコーン（登録商標）には、丸い円錐の面体に道路標識や安全標識のプレートを取り付ける際、輪状のリングを着けないと安定した固定ができなかった。
【０００５】
車などに複数のカラーコーン（登録商標）と座板（一体のものも含む）を載せて運搬する時には、あまりにも大きすぎるため車内に入らず大量に運ぶことができなかった。
【０００６】
【発明が解決しようとする課題】
本案は、上記のような技術的背景に基づいて発明なされたものであって、工事現場等で使用する工事用保安器具であるカラーコーン（登録商標）を折り畳み自在にし、従来のカラーコーン（登録商標）のイメージの変わることのないようにして、大量の持ち運びを可能とし、誰でも簡単に組み立てができるカラーコーン（登録商標）を安価に提供せんとするものである。
【０００７】
【課題を解決するための手段】
そのために本発明の第１の観点は、立ち入り禁止、進入禁止、駐車禁止等の工事用保安器具として用いられるカラーコーン（登録商標）に於いて、二つ折りにした角錐本体（１）の縦方向に複数の折曲線（２）と、二つ折りの座板（５）に角錐本体（１）が嵌入できる同形の抜き孔（６）を穿孔し、該座板（５）の抜き孔（６）の辺（７）に沿って前記角錐本体（１）を嵌合して組み立てられるように構成したことを特徴とする角錐の折り畳み式カラーコーン（登録商標）（Ａ）とした。
【０００８】
本発明の第２の観点は、角錐本体（１）の面体（３）に反射面（９）を施したことを特徴とする本発明の第１の観点記載の折り畳み式カラーコーン（登録商標）（Ａ）とした。
【０００９】
本発明の第３の観点は、立ち入り禁止、進入禁止、駐車禁止等の工事用保安器具として用いられるカラーコーン（登録商標）に於いて、二つ折りにした円錐本体（１０）の縦方向に２本の折曲線（１１）と、二つ折りの座板（１４）に円錐本体（１０）が嵌入できる同形の抜き孔（１６）を穿孔し、該座板（１４）の抜き孔（１６）の縁（１７）に沿って前記円錐本体（１０）を嵌合して組み立てられるように構成したことを特徴とする円錐の折り畳み式カラーコーン（登録商標）（Ｂ）とした。
【００１０】
本発明の第４の観点は、角錐本体（１）及び円錐本体（１０）の下端縁周囲に突出部（４）、（１３）を設けて、座板（５）、（１４）に角錐本体（１）及び円錐本体（１０）を嵌合できるようにしたことを特徴とする本発明の第１、第３の観点記載の折り畳み式カラーコーン（登録商標）（Ｃ）とした。
【００１１】
本発明の第５の観点は、角錐本体（１）及び円錐本体（１０）に取り付けられる二つ折りの座板（５）、（１４）の外形が円形又は角形からなることを特徴とする本発明の第１、第２、第３又は第４の観点記載の折り畳み式カラーコーン（登録商標）（Ｄ）とした。
【００１２】
【発明の実施の形態】
本発明の実施の形態を図面に基づきながら説明すると、図１は本発明の第１の観点の角錐本体（１）の一例を示す斜視図であり、該角錐本体（１）は角錐形状であって縦方向に複数の折曲線（２）が設けられている。この折曲線（２）は山折り及び谷折りの折曲線でなく、面体（３）の接続箇所は溝を設けて同方向にそれぞれが折れ曲がるように折曲線（２）とし一体化されている。該角錐本体（１）の素材は木材、発泡材、紙製ダンボール、プラスチック製ダンボール、ゴム板、金属板、合成板、樹脂成形物、生分解性樹脂、廃材利用物のいずれであっても良い。
【００１３】
図２は、図１の角錐本体（１）に装備される座板（５）の一例を示した斜視図で、座板（５）の中央には二つに折れるように折曲線（８）が設けられており、該角錐本体（１）が嵌入できる同形の抜き孔（６）を穿孔し、該座板（５）の抜き孔（６）の辺（７）に沿って角錐本体（１）に嵌合して組み立てられるように構成されている。座板（５）の材料は角錐本体（１）と同じ素材であることが一般的で、重たくするだけで風や人の足により触れて倒れることもなく安定するが、これらにこだわることもなく木材、発泡材、紙製ダンボール、プラスチック製ダンボール、ゴム板、金属板、合成板、樹脂成形物、生分解性樹脂、廃材利用物のいずれであっても良い。
【００１４】
図３は、図２の座板（５）が二つに折れるように折曲線（８）（図示せず）により折り畳んだ状態を示す斜視図である。
【００１５】
図４は、本発明の第１の観点の角錐本体（１）と座板（５）をセットにして組み立てた状態を示す斜視図であり、誰でも簡単に組み立てることができると共に、該角錐本体（１）の向きが回転して変わることもなく確実に向きを決めて固定することができる。又、図１３のように二つに分割にしてコンパクトに積み重ねられ手軽に持ち運びができるだけでなく、車中に入れて運ぶ場合にも大量に運ぶことができる。
【００１６】
図５は、本発明の第２の観点の角錐本体（１）の一例を示した斜視図で、該角錐本体（１）の面体（３）に反射面（９）を施したもので、該反射面（９）とは、反射シートの貼着又は表面塗工したもので、該発色顔料には真珠顔料、蛍光顔料、畜光顔料、夜光顔料等を用いる。該面体（３）が平滑面になっているので、自動車や自転車等のライトにより反射面が従来の丸い面よりも広く反射されるので効果的である。
【００１７】
図６は、本発明の第３の観点の円錐本体（１０）の一例を示したもので、該円錐本体（１０）に２本の折曲線（１１）を設けているので二つ折りにでき、コンパクトに積み重ねられ手軽に持ち運びができるだけでなく、車中に入れて運ぶ場合にも大量に運ぶことができる。又、面体（１２）が広いので大きく文字、図形、記号、色彩等の表示ができるので工事用保安器具として有効に活用することができ、沢山のカラーコーン（登録商標）を設置することにより、景観性に優れ美観的創作を得ることができる。
【００１８】
図７は、本発明の第３の観点の円錐本体（１０）に取り付けられる座板（１４）のみの斜視図で、該座板（１４）に円錐本体（１０）が嵌入できる同形の円の抜き孔（１６）を穿孔し、該座板（１４）の抜き孔（１６）の縁（１７）に沿って前記円錐本体（１０）を嵌合して組み立てられるように構成され、該座板（１４）は中央に折曲線（１５）を設けて、二つ折り自在に折り曲げができるようになっている。
【００１９】
図８は、本発明の第３の観点の円錐本体（１０）と座板（１４）を組み立てた状態の斜視図で、円錐本体（１０）の素材は木材、発泡材、紙製ダンボール、プラスチック製ダンボール、ゴム板、金属板、合成板、樹脂成形物、生分解性樹脂、廃材利用物のいずれであっても良い。又、座板（１４）も同じく円錐本体（１０）と同じ素材であることが一般的で、座板（１４）を重たくするだけで風や人の足により触れて倒れることもなく安定するが、これらにこだわることもなく木材、発泡材、紙製ダンボール、プラスチック製ダンボール、ゴム板、金属板、合成板、樹脂成形物、生分解性樹脂、廃材利用物のいずれであっても良い。
【００２０】
図９は、本発明の第４の観点の角錐本体（１）を示した斜視図で、該角錐本体（１）の下端縁周囲に突出部（４）を設けて図８の座板（５）の抜き孔（６）の辺（７）に沿って角錐本体（１）に嵌合する際、突出部（４）により座板（５）の抜き孔（６）から抜けることのないように工夫したもので、該突出部（４）を設けることによりバランス良く固定できるものである。
【００２１】
図１０は、本発明の第４の観点の円錐本体（１０）を示した斜視図で、該円錐本体（１０）の下端縁周囲に突出部（１３）を設けて図７の座板（１４）の抜き孔（１６）の縁（１７）に沿って円錐本体（１０）に嵌合する際、突出部（１３）により抜き孔（１６）から抜けることのないように工夫したもので、該突出部（１３）を設けることにより、バランス良く固定できるものである。
【００２２】
図１１は、本発明の第５の観点の角錐本体（１）に取り付けられる座板（５）の外形の一例を示した斜視図で、該座板（５）の外形が三角形、四角形、五角形、六角形、多角形（小さく角を取ったものも含む）のいずれであっても良く、風や人の足により触れて倒れることのないバランスの取れた形状や大きさであることが好ましい。
【００２３】
図１２は、本発明の第５の観点の円錐本体（１０）に取り付けられる座板（１４）の外形の一例を示した斜視図で、該座板（１４）の外形が円形であれば良く、風や人の足により触れて簡単に倒れることのないバランスの取れた形状や大きさであることが好ましく、これらを実行することにより美観的創作を得ることができる。
【００２４】
図１４は、本発明の第１の観点の角錐本体（１）の面体（３）が平滑面であるため、該面体（３）に道路標識や安全標識のプレート（１８）を両面テープで容易に貼着することができるので、該両面テープさえあれば何時でも容易に安定した取り付けができる。
【００２５】
図１５は、本発明の第１の観点の角錐本体（１）の頭部の空間（２０）を利用して照明器具（１９）（点滅灯や照明灯等）を差し込むだけで固定できるので、夜間工事等に使用すれば角錐本体（１）の面体（３）に照明が全体を照らすことになり、従来の丸い面体よりも明るく照らすことができる。
【００２６】
【発明の効果】
本案は安価で誰でも簡単に使用することができ、従来のカラーコーン（登録商標）のイメージを変えることのないようにして、下記の如く多大の効果を奉するものである。
【００２７】
本発明の第１の観点は、角錐本体（１）と座板（５）の組み合わせにより誰でも簡単に組み立てることができると共に、該角錐本体（１）の向きが回転して変わることもなく確実に向きを決めて固定することができる。又、図１３のように二つに分割してコンパクトに積み重ねられ手軽に持ち運びができるだけでなく、車中に入れて運ぶ場合にも大量に運ぶことができる。
【００２８】
角錐本体（１）の頭部の空間（２０）を利用して照明器具（１９）（点滅灯や照明灯等）を差し込むだけで固定できるので、夜間工事等に使用すれば角錐本体（１）の面体（３）に照明が全体を照らすことになり、従来の丸い面体よりも明るく照らすことができる。
【００２９】
角錐本体（１）の面体（３）が平滑面であるため、該面体（３）に道路標識や安全標識のプレート（１８）を両面テープで容易に貼着することができるので、該両面テープさえあれば何時でも容易に安定した取り付けができる。
【００３０】
本発明の第２の観点は、該角錐本体（１）の面体（３）に反射面（９）を施すだけで、該面体（３）が平滑面になっているので、自動車や自転車等のライトにより反射面が従来の丸い面よりも広く反射されるので効果的である。
【００３１】
本発明の第３の観点は、該円錐本体（１０）に２本の折曲線（１１）を設けているので二つ折りにでき、コンパクトに積み重ねられ手軽に持ち運びができるだけでなく、車中に入れて運ぶ場合にも大量に運ぶことができる。又、面体（１２）が広いので大きく文字、図形、記号、色彩等の表示ができるので工事用保安器具として有効に活用することができ、沢山のカラーコーン（登録商標）を設置することにより景観性に優れ、美観的創作を得ることができる。
【００３２】
本発明の第４の観点は、角錐本体（１）の下端縁周囲に突出部（４）又は円錐本体（１０）に突出部（１３）を設けることにより、座板（５）、（１４）の抜き孔（６）、（１６）から抜けることなくバランス良く固定できるものである。
【００３３】
本発明の第５の観点は、角錐本体（１）に取り付けられる座板（５）の外形や円錐本体（１０）に取り付けられる該座板（１４）を重たくするだけで風や人の足により触れて倒れることもなく安定すると共に、該座板（５）、（１４）の外形を代えることにより、美観的創作を得ることができる。
【図面の簡単な説明】
【図１】  二つ折りした角錐本体の斜視図。
【図２】  拡げた状態の座板の斜視図。
【図３】  二つ折りした座板の斜視図。
【図４】  角錐本体と四角い座板を組み立てた状態の斜視図。
【図５】  角錐本体に反射面を施した状態を示す斜視図。
【図６】  二つ折りした円錐本体の斜視図。
【図７】  拡げた状態の四角い座板の斜視図。
【図８】  円錐本体と四角い座板を組み立てた状態の斜視図。
【図９】  角錐本体の下端縁周囲に突出部を設けた状態の斜視図。
【図１０】  円錐本体の下端縁周囲に突出部を設けた状態の斜視図。
【図１１】  拡げた状態の六角の座板に六角の抜き孔を設けた一例を示す斜視図。
【図１２】  拡げた状態の円形の座板に円形の抜き孔を設けた一例を示す斜視図。
【図１３】  積み重ねた状態の角錐本体と座板の斜視図。
【図１４】  角錐本体の面体に道路標識又は安全標識のプレートを貼着した斜視図。
【図１５】  角錐本体の頭部に照明器具を取り付けた部分的拡大図。
【符号の説明】
Ａ  角錐の折り畳み式カラーコーン（登録商標）
Ｂ  円錐の折り畳み式カラーコーン（登録商標）
Ｃ  突出部を設けた折り畳み式カラーコーン（登録商標）
Ｄ  座板の外形が角形又は円形にした折り畳み式カラーコーン（登録商標）
１  角錐本体
２  折曲線
３  面体
４  突出部
５  座板
６  抜き孔
７  辺
８  折曲線
９  反射面
１０  円錐本体
１１  折曲線
１２  面体
１３  突出部
１４  座板
１５  折曲線
１６  抜き孔
１７  縁
１８  プレート
１９  照明器具
２０  空間
【図１】
0004085240.tif 000002
【図２】
0004085240.tif 000003
【図３】
0004085240.tif 000004
【図４】
0004085240.tif 000005
【図５】
0004085240.tif 000006
【図６】
0004085240.tif 000007
【図７】
0004085240.tif 000008
【図８】
0004085240.tif 000009
【図９】
0004085240.tif 000010
【図１０】
0004085240.tif 000011
【図１１】
0004085240.tif 000012
【図１２】
0004085240.tif 000013
【図１３】
0004085240.tif 000014
【図１４】
0004085240.tif 000015
【図１５】
0004085240.tif 000016